(57)【要約】【課題】収納ケースに二つのポンプ付容器を組み込み、使用にあたって、ケースを持って、いずれかのポンプ付容器のポンプを押下げ、所要の容器から内容物を吐出することを課題として、回転カバーを操作していずれか一方の容器のポンプを露出させ、押下げ操作を可能とした内容液の異なるポンプ付二容器収納ケースを提供すること。【解決手段】吐出ヘッドを装着したポンプを具えた二つの容器を着脱可能として収容した収納ケースと、該収納ケースに取着されたケースカバーと、ケースカバーに廻動自在に取着された操作カバーとを具えた二容器収納ケースであって、操作カバーを廻動させることによって、一方の所望する容器の吐出ヘッドを露出させ、吐出ヘッドの押下げ操作を可能としたことを特徴とする。【選択図】　　　　図１
2004035009.tif 000002
【特許請求の範囲】
【請求項１】
吐出ヘッドを装着したポンプを具えた二つの容器を着脱可能として収容した収納ケースと、該収納ケースに取着されたケースカバーと、ケースカバーに廻動自在に取着された操作カバーとを具えた二容器収納ケースであって、
操作カバーを廻動させることによって、一方の所望する容器の吐出ヘッドを露出させ、吐出ヘッドの押下げ操作を可能としたことを特徴とする二容器収納ケース。
【請求項２】
請求項１記載の二容器収納ケースにおいて、吐出ヘッドに変え噴霧ヘッドを取着したことを特徴とする二容器収納ケース。
【発明の詳細な説明】
【０００１】
【発明の属する技術分野】
本発明は、二容器収納ケース、特にいずれかの容器を選択して内容液を吐出できるようにした二容器収納ケースに関する。
【０００２】
【従来の技術】
異なる内容液を入れた二つのポンプ付容器を収納したケースは、従来より知られているが、従来のケースは、二つの容器を収納するというだけで、内容液の吐出にあたっては、所要のポンプ付容器をケースから取り出し、容器を持ってポンプを押下げることによって、所要量の内容液を吐出するようにしていた。
【０００３】
【発明が解決しようとする課題】
本発明は、収納ケースに二つのポンプ付容器を組み込み、使用にあたって、ケースを持って、いずれかのポンプ付容器のポンプを押下げ、所要の容器から内容物を吐出することを課題として、回転カバーを操作していずれか一方の容器のポンプを露出させ、押下げ操作を可能とした内容液の異なるポンプ付二容器収納ケースを提供することを目的とする。
【０００４】
【課題を解決するための手段】
本発明は、上記の課題を解決するため、二容器収納ケースとして、吐出ヘッドを装着したポンプを具えた二つの容器を着脱可能として収容した収納ケースと、該収納ケースに取着されたケースカバーと、ケースカバーに廻動自在に取着された操作カバーとを具えた二容器収納ケースであって、操作カバーを廻動させることによって、一方の所望する容器の吐出ヘッドを露出させ、吐出ヘッドの押下げ操作を可能としたことを特徴とする構成を採用する。
【０００５】
また、容器に、吐出ヘッドに変え噴霧ヘッドを取着したことを特徴とする構成を採用する。
【０００６】
【発明の実施の形態】
次に、本発明の実施形態について、図面を参照して説明する。
図１において、Ａは容器、Ｂはポンプ取付キャップ、Ｃは吐出ヘッド、Ｄは収納ケース、Ｅはケースカバー、Ｆは操作カバーである。
それぞれの容器Ａには異なる内容液が収容されている。
図２に示すように、容器Ａの肩部１と胴部２の横断面の形状は、直線部３と円弧部４とから形成されており、二つの容器Ａは、直線部３を接合させて収納ケースＤ内に収納されるようになっている。
【０００７】
ポンプ取付キャップＢは、公知のものと同様に、ピストン部材のステムに吐出ノズル５を具えた吐出ヘッドＣを嵌着したポンプを保持し、容器Ａの口筒部に締着されている。
【０００８】
図３に示すように、収納ケースＤは、胴周壁６と底壁７とを具え、透明の樹脂で形成されており、胴周壁６の上端部には、フランジ８が突設されている。
フランジ８の上方には、取付周壁９が設けられており、取付周壁９の上部には、横方向に延びる複数の突条１０が設けられている。
フランジ８の前縁８ａ、後縁８ｂは、左右の円弧縁より大きく突出しており、操作カバーＦのストッパーとなっている。
胴周壁６の内周の形状は、接合された二容器の外周の形状とほぼ同一となっており、底壁７には、収納された容器Ａの底壁を支持する支持壁１１が設けられている。
【０００９】
図４に示すように、ケースカバーＥは、周壁１５と上壁１６とを具えており、周壁１５は、楕円面に近似する湾曲面によって形成されており、上壁１６の上方の部分は、直交する円筒状湾曲面によって切り取って切欠部１７が形成されている。
切欠部１７の両側に延びる周壁１５の部分によって、吐出ヘッドＣの外側を覆うカバー１８が形成されている。
【００１０】
周壁１５の下端内周には、収納ケースＤの突条１０に係合する膨出環１９が設けられ、周壁１５の下端部外周の中央には、上壁１６の下方に位置して先端に膨出環を設けた取付ピン２０が突設されている。
上壁１６の上面には、開口２１を上端に設け、吐出ヘッドＣを装着したポンプ取付キャップＢが挿入される一対の円錐状のカバー筒２２が立設されている。
【００１１】
図５に示すように、操作カバーＦは、ケースカバーＥと同様の楕円面近似の湾曲面によって形成された両側面２５と上面２６とからなっており、操作カバーＦの端縁２７は、切欠部１７を覆うように形成されている。
両側面２５の下端には、取付ピン２０が嵌挿される取付孔２８が穿孔されている。
操作カバーＦの取付けにあたって、両側面２５を広げ、取付孔２８に取付ピン２０が嵌合されるようにして取付ける。
【００１２】
次に、本発明の二容器収納ケースの使用態様と作用効果について説明する。
まず、収納ケースＤの組立てについて説明すると、二つの容器Ａは、直線部３を接合した状態で収納ケースＤに挿入され、次いで、操作カバーＦを装着したケースカバーＥを収納ケースＤに取付ける。
取付けにあたっては、ケースカバーＥの下端の膨出環１９を、収納ケースＤの取付周壁９の突条１０に係合させ、下端をフランジ８に載置する。
そのときには、ケースカバーＥのカバー筒２２はポンプ取付キャップＢの上端まで覆い、カバー筒２２の上端から吐出ヘッドＣが露出される。
【００１３】
二容器収納ケースＤの使用にあたって、図６に示すように、操作カバーＦを一方に廻動させると、廻動方向側の端縁２７がフランジ８の前縁８ａ、後縁８ｂに当接するまで廻動して、一方の容器Ａの吐出ヘッドＣが露出され、吐出ヘッドＣの押下げ操作が可能となる。
【００１４】
次に、露出した一方の吐出ヘッドＣを押下げると吐出ノズル５から内容液を吐出することができ、吐出ヘッドＣから手を離すとばねの付勢により吐出ヘッドＣが上昇し、内容液をポンプ内に吸い上げる。
また、他方の内容液を注出したいときには、操作カバーＦを反対方向に廻動させると、他方の容器Ａの吐出ヘッドＣが露出され、吐出ヘッドＣの押下げにより内容液を吐出することができる。
【００１５】
内容液を使い切った場合には、収納ケースＤよりケースカバーＥを取外し、ポンプ取付キャップＢをつかんで容器Ａを引き上げると、収納ケースＤから取出すことができる。
次いで、ポンプ取付キャップＢを新しい容器に取付けることによって、新しい容器を使用することができる。
【００１６】
また、収納ケースとして、透明な容器を用いているから、内容器の内容物の表示を外から見ることができ、所望する容器を容易に選択することができる。
【００１７】
前記実施形態では、容器と収納ケースの横断面を楕円形とし、ケースカバー、操作カバーの表面を楕円面に近似する湾曲面としたが、収納ケースおよび容器の横断面を角形とし、ケースカバーと操作カバーの外周面を円筒面と円筒面に交叉する二つの垂直面としてもよい。
【００１８】
また、前記実施形態では、吐出ヘッドＣを取着した容器Ａを用い、内容液を吐出ノズル５より吐出するようにしたが、容器Ａに噴霧ヘッドを取付けた二容器を用い、内容液を噴霧するようにしてもよく、また、内容液と用途に応じて一方に吐出ヘッド、他方に噴霧ヘッドを取付けた容器を用い、必要に応じて噴霧と吐出のいずれかを選択して使い分けるようにすることもできる。
【００１９】
【発明の効果】
本発明は、上記のように構成されているから、次の効果を奏する。
吐出ヘッドを取着した二容器を収納ケースに入れ、ケースカバーに取付けた操作カバーを廻動させ、一方の容器の吐出ヘッドを露出させるようにしているから、収納ケースをもって所望の容器を選択して内容液を吐出することができる。
【００２０】
また、二容器を収納ケースに着脱可能としたから、内容液を使い切ったときに、簡単に取替えることができる。
【００２１】
噴霧ヘッド取付けた二容器を収納した場合は、容器を選択して噴霧させることができ、吐出ヘッドを取り付けた容器と噴霧ヘッドを取付けた容器を用いる場合には、噴霧と吐出のいずれかを選択することができる。
【図面の簡単な説明】
【図１】本発明の二容器収納ケースの一部断面正面図である。
【図２】容器の説明図で、（ａ）は上面図、（ｂ）は正面図である。
【図３】収納ケースの説明図で、（ａ）は上面図、（ｂ）は一部断面正面図である。
【図４】ケースカバーの説明図で、（ａ）は上面図、（ｂ）は一部断面正面図である。
【図５】回転カバーの説明図で、（ａ）は正面図、（ｂ）は側面図である。
【図６】使用時の説明図である。
【符号の説明】
Ａ　　容器
Ｂ　　ポンプ取付キャップ
Ｃ　　吐出ヘッド
Ｄ　　収納ケース
Ｅ　　ケースカバー
Ｆ　　操作カバー
６　　胴周壁
７　　底壁
８　　フランジ
９　　取付周壁
１０　突条
１１　支持壁
１５　周壁
１６　上壁
１７　切欠部
１８　カバー
１９　膨出環
２０　取付ピン
２１　開口
２２　カバー筒
２５　両側面
２６　上面
２７　端縁
２８　取付孔
【図１】
2004035009.tif 000003
【図２】
2004035009.tif 000004
【図３】
2004035009.tif 000005
【図４】
2004035009.tif 000006
【図５】
2004035009.tif 000007
【図６】
2004035009.tif 000008